(57)【要約】  プラスチックの閉鎖キャップ（１０）を含むレトルト可能なパッケージが開示される。閉鎖キャップ（１０）は、端パネル（２０）と、端パネル（２０）に適用されるライナ（３８）とを含む。ライナ（３８）の口部接触表面（３９）は、口部と接触する前に全体として円弧形またはトロイド様の輪郭を有する。
2009522179.tif 000002
【特許請求の範囲】
【請求項１】
容器の複合閉鎖キャップにおいて、
頂部のフランジおよびスカートを含むプラスチック製の殻部であって、前記フランジは、全体として内側に延在し、前記スカートは、半径方向外側で下方向に垂れ下がり前記フランジから延在し、内側に延在する前記フランジが、前記殻部内の中心開口を画定する、プラスチック製の殻部と、
前記殻部内に保持される端パネルであって、前記端パネルは上面および下面を含み、前記端パネルは、前記中心開口に重なる中心部分、半径方向外側の周部分、前記中心部分および前記半径方向外側の周部分の間に延在し、全体として上方向に延在する部分、を備えており、前記端パネルの前記底面が、前記全体として上方向に延在する部分にてライナ受け表面を提供する、端パネルと、
前記ライナ受け表面に適用されるライナであって、前記ライナが口部接触外面を有し、前記口部接触外面が、容器口部と接触する前に、全体としてトロイド様の形状の輪郭を有する、ライナとを備える、複合閉鎖キャップ。
【請求項２】
前記ライナは、最大となる厚さを有し、前記最大となる厚さの位置で、前記ライナが、前記パネルの前記全体として上方向に延在する部分の下端と接触する、請求項１に記載の複合閉鎖キャップ。
【請求項３】
前記ライナは、増加した厚さを備えており、前記増加した厚さの位置で、前記ライナは、前記全体として上方向に延在するパネル部分の前記下端と接触し、また、前記増加した厚さの位置で、前記ライナが前記全体として上方向に延在するパネル部分と接触する位置に関連して、前記ライナは前記外周パネル部分と接触する、請求項２に記載の複合閉鎖体。
【請求項４】
前記端パネルが、酸素遮断性を有する材料を含む、請求項１に記載の複合閉鎖体。
【請求項５】
前記パネルが、酸素遮断性を有する膜を含む、請求項３に記載の複合閉鎖体。
【請求項６】
前記膜が複数の層を備え、前記層の少なくとも１つが、酸素遮断性を有する材料を含む、請求項４に記載の複合閉鎖体。
【請求項７】
前記膜がさらに脱酸素剤を含む、請求項３に記載の複合閉鎖体。
【請求項８】
前記殻部が、半径方向内側に延在するフランジと、前記フランジに関連するシールインジケータとを含む、請求項１に記載の複合閉鎖体。
【請求項９】
前記シールインジケータが、前記フランジの上面に直立する切欠部を備える、請求項７に記載の複合閉鎖体。
【請求項１０】
前記全体として上方向に延在する部分が、半径方向外側の表面を含み、前記半径方向外側の表面が、前記パネルの垂直軸から約１０°〜２０°外方向に延在する、請求項１に記載の複合閉鎖体。
【請求項１１】
容器の閉鎖キャップにおいて、
頂部のフランジおよびスカートを含むプラスチック製の殻部であって、前記フランジが全体として内側に延在し、前記スカートが、半径方向外側で下方向に垂れ下がり前記フランジから延在し、内側に延在する前記フランジが、前記殻部内の中心開口を画定する、殻部と、
前記殻部内に保持され、少なくとも実質的にプラスチック製である端パネルであって、前記端パネルは、上面および下面を含んでおり、
前記端部パネルが、中心部分、半径方向外側の周部分、前記中心部分および周部分の間で、下方向に延在する栓、を備えており、前記栓が半径方向外側の表面を含む、端パネルと、
前記栓の前記半径方向外側の面に適用されるライナであって、前記ライナが口部接触外面を有し、前記口部接触外面が、容器口部と接触する前に、全体としてトロイド様の形状の輪郭を有する、ライナとを備える、容器の閉鎖キャップ。
【請求項１２】
前記ライナが、前記栓と前記外周部分との間で最大となる厚さを有する、請求項１０に記載の閉鎖体。
【請求項１３】
前記ライナは、増加した厚さを備えており、前記増加した厚さの位置で、前記ライナは、前記栓の前記下端と接触し、また、前記増加した厚さの位置で、前記ライナが前記栓の中間区域と接触する位置に関連して、前記ライナは、前記パネルの前記外周部分の下面と接触する、請求項１１に記載の閉鎖体。
【請求項１４】
前記端パネルが、酸素遮断性を有する材料を含む、請求項１０に記載の閉鎖体。
【請求項１５】
前記パネルが、酸素遮断性を有する膜を含む、請求項１３に記載の閉鎖体。
【請求項１６】
前記膜が複数の層を備え、前記層の少なくとも１つが、酸素遮断性を有する材料を含む、請求項１４に記載の閉鎖体。
【請求項１７】
前記膜がさらに脱酸素剤を含む、請求項１３に記載の閉鎖体。
【請求項１８】
前記栓の外面が、垂直軸に対して約１０°〜２０°の角度を有する、請求項１０に記載の閉鎖体。
【請求項１９】
閉鎖キャップにおいて、
一体化された端パネル、および下方向に延在するスカート部分、を備えるプラスチック製の殻部であって、
前記端パネルが上面および下面を含み、前記端パネルが、中心部分、半径方向外側で上方向に延在して前記中心部分から延在する壁部分、を備え、前記端パネルの下面が、前記半径方向外側で上方向に延在する壁部分にて、ライナ受け表面を備える、殻部と、
前記ライナ受け表面に適用されるライナであって、前記ライナが、口部接触外面を有し、前記口部接触外面が、口部と接触する前に、全体としてトロイド様の形状の輪郭を有する、ライナとを備える、閉鎖キャップ。
【請求項２０】
前記ライナが最大の厚さを有し、前記最大の厚さの位置で、前記ライナは、前記パネルの前記全体として上方向に延在する部分の下端と接触する、請求項１９に記載の複合閉鎖キャップ。
【請求項２１】
前記ライナは、増加した厚さを備えており、前記増加した厚さの位置で、前記ライナは前記全体として上方向に延在するパネル部分の前記下端と接触し、また、前記増加した厚さの位置で、前記ライナは前記外周パネル部分に接触する、請求項２０に記載の複合閉鎖体。
【請求項２２】
前記端パネルが、酸素遮断性を有する材料を含む、請求項１９に記載の複合閉鎖体。
【請求項２３】
前記パネルが、前記端パネルの表面に組み込まれた膜を含み、前記膜が酸素遮断性を有する、請求項２１に記載の複合閉鎖体。
【請求項２４】
前記膜が複数の層を備え、前記層の少なくとも１つが、酸素遮断性を有する材料を含む、請求項２２に記載の複合閉鎖体。
【請求項２５】
前記膜がさらに脱酸素剤を含む、請求項２１に記載の複合閉鎖体。
【請求項２６】
前記殻部が、半径方向内側に延在するフランジと、前記フランジに関連するシールインジケータとを含む、請求項１９に記載の複合閉鎖体。
【請求項２７】
前記シールインジケータが、前記フランジの上面上に直立する切欠部を備える、請求項２５に記載の複合閉鎖体。
【請求項２８】
パッケージにおいて、
容器口部を含む容器であって、前記口部が密封内面を含む、容器と、
プラスチック製の殻部を備える閉鎖キャップであって、前記殻部が端パネルを含み、前記端パネルが、上面および下面を有し、前記下面が、当該下面上にライナが適用される部分を含む、閉鎖キャップと、を備えており、
前記ライナが、口部接触外面を含み、前記口部接触外面が、前記容器口部と接触する前に、全体としてトロイド様形状の輪郭を有する、パッケージ。
【請求項２９】
前記容器口部の前記密封内面が、全体としてトロイド様の輪郭を備える、請求項２８に記載のパッケージ。
【請求項３０】
前記ライナが適用される部分が、下端と、上端と、それらの間の中間部分とを備え、前記ライナが、前記中間部分より前記下端の方で大きい厚さを有する、請求項２７に記載のパッケージ。
【請求項３１】
適用中に、容器口部が、最初に前記下端で前記ライナと接触する、請求項３０に記載のパッケージ。
【請求項３２】
前記端パネルが上面および下面を含み、前記パネルが、中心部分と、半径方向外側の周部分と、前記中心部分から全体として上方向に延在する中間部分とを備える、請求項２７に記載のパッケージ。
【請求項３３】
前記中間の実質的に垂直の部分が、垂直軸から約１０°〜２０°ずれている、請求項３２に記載のパッケージ。
【請求項３４】
前記閉鎖体が複合閉鎖体を備え、前記複合閉鎖体が、殻部と、前記殻部内に保持された実質的にプラスチック製の端パネルとを含む、請求項３３に記載のパッケージ。
【請求項３５】
前記中間の実質的に垂直の部分が、前記端パネルから吊り下がる下方向に延在する栓を備える、請求項３２に記載のパッケージ。
【請求項３６】
パッケージにおいて、
上端パネル、下方向に延在するスカート、および前記スカートから吊り下がり勝手な開封を明白に示す帯部、を備える閉鎖体であって、前記帯部が、当該帯部の上に複数の連続的なラチェットを含み、各ラチェットが、外向きのラチェット先端およびラチェット谷を有する、閉鎖体と、
容器口部を含む容器であって、前記容器口部は、口部の周囲に環状に隔置された複数のラチェットグループを備え、前記ラチェットグループが、外方向に延在するビードによって相互から隔置され、前記ビードはそれぞれ、前記閉鎖体が前記容器に十分に適用されると、前記ビードに対向する前記閉鎖体上のラチェットの先端が前記ビードと接触するような直径を有する、容器とを備える、パッケージ。
【請求項３７】
前記勝手な開封を明白に示す帯部が、複数の上方向に折り曲げられた環状フラップで終端し、前記フラップのそれぞれが、当該フラップの上に少なくとも１つのラチェットを含む、請求項３７に記載のパッケージ。
【請求項３８】
前記支持ビードが、前記ラチェットグループ間で、連続的で均一の直径である、請求項３７に記載のパッケージ。
【請求項３９】
前記口部上の前記ラチェットグループが、前記容器口部上で、対称に配置される、請求項３７に記載のパッケージ。
【請求項４０】
前記ラチェットグループに隣接する前記支持ビードの端部が、半径方向内側にテーパ状になる、請求項３７に記載のパッケージ。
【請求項４１】
前記支持ビードの端部が、ラチェット先端径より小さく、ラチェット谷径より大きい外径を有する、請求項３７に記載のパッケージ。
【請求項４２】
容器の閉鎖体において、
端パネルと、下方向に延在するスカートとを備え、前記端パネルが上面および下面、中心部分および外周部分を有し、少なくとも前記中心部分が、酸素遮断性を有する材料を含む、容器の閉鎖体。
【請求項４３】
前記端パネルに組み込まれた膜であって、酸素遮断性を有する材料を含む膜をさらに備える、請求項４２に記載の閉鎖体。
【請求項４４】
前記膜が複数の層を備え、前記層の少なくとも１つが、酸素遮断性を有する材料を含む、請求項４３に記載の閉鎖体。
【請求項４５】
前記端パネルが複数の層を備え、前記層の少なくとも１つが、酸素遮断性を有する材料を含む、請求項４２に記載の閉鎖体。
【請求項４６】
前記端パネルが、前記複数の層を備えるシートから熱成形される、請求項４５に記載の閉鎖体。
【請求項４７】
少なくとも最上層と、底層と、中層とを含む膜を備え、前記中層が、酸素遮断性を有する材料を含む、請求項４４に記載の閉鎖体。
【請求項４８】
前記端パネルが、少なくとも最上層と、底層と、中層とを備え、前記中層が、酸素遮断性を有する材料を含む、請求項４６に記載の閉鎖体。
【請求項４９】
前記膜が前記端パネルの上面または下面に組み込まれる、請求項４３に記載の閉鎖体。
【請求項５０】
前記膜が前記端パネルの上面に組み込まれる、請求項４９に記載の閉鎖体。
【請求項５１】
前記中層が有機物質遮断コーティングを備え、前記最上層が、前記有機物質遮断層がコーティングされた基層を備える、請求項５０に記載の閉鎖体。
【請求項５２】
前記有機物質遮断層がポリアクリル酸を含み、前記最上層がポリエチレンテレフタレートを含む、請求項５１に記載の閉鎖体。
【請求項５３】
前記端パネルが、少なくとも最上層と、底層と、中層とを含み、前記中層が、酸素遮断性を有する材料を含む、請求項４６に記載の閉鎖体。
【請求項５４】
容器の閉鎖体において、
下方向に延在するスカート、終端部、および勝手な開封を明白に示す帯部、を含む殻部であって、前記帯部が、破断可能な複数のブリッジによって前記終端部に取り付けられ、前記複数のブリッジが前記帯部の周囲で隔置される、殻部を備えており、
前記複数のブリッジは、第一構成を有するブリッジと、別の構成を有するブリッジとを含み、前記第一構成の前記ブリッジが、前記容器の開封中に別の構成のブリッジが破断する前に破断するように適合される、閉鎖体。
【請求項５５】
前記第一構成の前記ブリッジが、幾何形状、長さ、または厚さ、あるいはそれらの組合せの点で別の構成のブリッジとは異なる、請求項５４に記載の閉鎖体。
【請求項５６】
同じ構成の少なくとも２つのブリッジが相互に隣接する、請求項５５に記載の閉鎖体。
【請求項５７】
前記第一構成の前記ブリッジが、前記閉鎖体の周囲に対称に配置される、請求項５４に記載の閉鎖体。
【発明の詳細な説明】
【技術分野】
【０００１】
本出願は、２００５年１２月２８日出願の米国特許仮出願第６０／７５４，４７７号の利点を主張し、その内容は参照により本明細書に組み込まれる。
【０００２】
本発明は、閉鎖キャップと、例えばプラスチック瓶および広口瓶などの容器とを含む食品または飲料パッケージを対象とする。より詳細には、本発明は、例えば複合閉鎖体などの閉鎖キャップを含み、実質的にプラスチックで作成され、酸素遮断性を有し、レトルトなどの様々な密封および殺菌環境で容器とキャップの間に気密シールを提供する端パネルがあるパッケージを対象とする。
【背景技術】
【０００３】
特定の食品または飲料を含むパッケージは、充填後に高温充填、低温殺菌または熱殺菌される製品および／またはパッケージ全体（自らの上に適用された閉鎖体で密封された充填済み容器）を「レトルト加工」に供する（つまりパッケージを１０４℃（２２０°Ｆ）より高い温度まで加熱する）製品を含む。プラスチック容器、および特にレトルトまたは他の高温プロセスに供されるプラスチック製の容器口部（容器仕上がり面、容器フィニッシュ）は、往々にして膨張およびその後の収縮を経験する。容器口部の膨張および収縮は往々にして、容器と閉鎖体との間のシールの完全性に影響しえ、したがって製品が汚染されるか、他のマイナスの影響を受ける可能性がある。
【０００４】
レトルトまたは他の高温用途に供されるパッケージでは、一般的に複合閉鎖体が使用されてきた。複合閉鎖体は通常、中心開口がある環状殻部またはリング、および中心開口を占有する別個の端パネルを含む。現在入手可能な多くの複合閉鎖体は、金属端パネルと、閉鎖体と容器口部との間に気密シールを提供する密封材の環状ガスケットまたはライナとを含む。レトルト中にシールの完全性を維持するのに効果的であるばかりでなく、金属／プラスチック複合閉鎖体の金属端パネルは、パッケージに自由に透過できると食物製品を損傷させることがある酸素に対する良好な遮断材を提供する。
【０００５】
最近、端パネルが実質的にプラスチックなどの非金属材料で作成された複合閉鎖体が開示されている。このような「全てがプラスチックの」複合閉鎖体は、端パネルがそれほど腐食せず、製造がさらに経済的になるという利点を有する。さらに最近では、レトルトまたは他の高温用途の「一体」閉鎖体（つまり複合ではない閉鎖体）も開示されている。このような閉鎖体の一例が、米国特許第６，７０２，１３３号で提供されている。
【発明の開示】
【発明が解決しようとする課題】
【０００６】
シールの完全性の維持は、レトルト加工に供されるプラスチック容器でパッケージされる食物製品では、特に問題になることがある。したがって、シールの完全性を維持しながらレトルトに供することができる閉鎖体を有する閉鎖体およびパッケージが引き続き必要とされている。また、（１）容器口部と閉鎖キャップとの境界面における酸素の進入をさらに制限するために、パッケージを密封し、（２）閉鎖体を通る酸素の進入を効果的に制限し、（３）勝手な開封（改ざん、タンパー）の証拠を提供して、勝手な開封の危険性を低下させ、（４）製造費を削減するレトルト可能なパッケージを提供することが、引き続き必要とされている。本発明のパッケージおよび閉鎖体は、上述した必要性に対応する。
【課題を解決するための手段】
【０００７】
１つの態様では、本開示は、容器の複合閉鎖キャップを対象とする。この閉鎖キャップは、全体として内側に延在する環状頂部フランジと、半径方向外側で下方向に垂れ下がってフランジから延在するスカートとを有するプラスチック製の殻部を含む。内側に延在するフランジは、殻部内の中心開口を画定する。この閉鎖キャップは、殻部内に保持される少なくとも実質的にプラスチックの端パネルも含むことができ、この端パネルは、上面および下面と、中心開口に重なる中心部分と、中心部分から延在する半径方向外側で上方向に延在する部分とを有し、端パネルの下面は、上方向に延在する部分にてライナ受け表面を提供する。ライナが、ライナ受け表面に適用され、このライナは、口部と接触する前に全体としてトロイド様の形状の輪郭を有する口部接触表面を含む。
【０００８】
別の態様では、本開示は、閉鎖体がプラスチック製の殻部を含み、その殻部が、全体として内側に延在する環状頂部フランジと、半径方向外側で下方向に垂れ下がってフランジから延在するスカートとを有する容器の閉鎖キャップを対象とする。フランジは、殻部の中心開口を画定する。閉鎖体はさらに、殻部内に保持された少なくとも実質的にプラスチックの端パネルを含む。端パネルは上面および下面を含む。端パネルは、中心部分および半径方向外側の周部分を有し、下方向に延在する栓が中心と半径方向外側の周部分との間にある。ライナが、栓の半径方向外側の表面に適用され、口部と接触する前に全体としてトロイド様の形状の輪郭を有する口部接触表面を有する。
【０００９】
別の態様では、本開示は、一体端パネルと、下方向に延在するスカート部分とを有するプラスチック製の殻部を含むプラスチック閉鎖キャップを対象とする。端パネルは上面および下面を有し、中心部分と、半径方向外側で上方向に延在して中心部分から延在する壁部分とを含む。端パネルの下面は、半径方向外側で上方向に延在する壁部分にてライナ受け表面を提供し、ライナが、ライナ受け表面に適用される。ライナの口部接触外面は、口部と接触する前に全体としてトロイド様の形状の輪郭を有する。
【００１０】
別の態様では、本開示は、容器口部と、閉鎖キャップとを含むパッケージを対象とする。閉鎖キャップは、プラスチック製の殻部と、上面および下面を有する端パネルとを有する。端パネルの下面は、ライナが適用されている部分を含む。容器口部と接触するライナの外面は、このような接触の前に全体としてトロイド様の形状の輪郭を有する。
【００１１】
別の態様では、本開示はパッケージを対象とする。このパッケージは、端パネルと、下方向に延在するスカートと、複数の少なくとも実質的に連続的なラチェットを有する勝手な開封を明白に示す帯部とを有する閉鎖体を含む。このパッケージは、容器口部がある容器も含み、容器口部の周囲で複数のラチェットグループが環状に隔置されている。ラチェットグループは、外方向に延在するビードによって分離されている。ビードは、閉鎖体を容器に十分に適用すると、ビードに対向する閉鎖体上のラチェット先端がビードと接触するような外径を有する。
【００１２】
別の態様では、本開示は、閉鎖体が、端パネルと、下方向に延在するスカートとを含む容器の閉鎖体を対象とする。端パネルは、上面および下面、中心部分および外周部分を有する。少なくとも中心部分は、酸素遮断性を有する材料を含む。
【００１３】
さらなる態様では、本開示は、容器が、下方向に延在するスカートを含む殻部を有する、容器の閉鎖体を対象とする。勝手な開封を明白に示す帯部が、複数のブリッジによってスカートの終端部に取り付けられる。ブリッジは、少なくとも２つの異なるタイプであり、１つのタイプのブリッジは、容器の開封中に２つ目のタイプのブリッジが破断する前に破断するように適合されている。
【００１４】
本発明の以上およびその他の態様について、以下でさらに詳細に説明する。
【発明を実施するための最良の形態】
【００１５】
図１から図１０を参照すると、閉鎖キャップ１０は、殻部１２内に保持された別個の端パネル２０によって覆われた中心開口１３（図２）を有する全体として円筒形の殻部１２を含む複合閉鎖体でよい。あるいは、図１１および図１２に示すように、閉鎖体１０は、殻部１２および一体化した端パネル２０を有する「一体」閉鎖体でよい。いずれの実施形態でも、殻部１２は、例えばポリプロピレンなどのプラスチック材料から成形することが好ましい。
【００１６】
図１から図１０および図１３から図１４に示すように、殻部１２は、下方向に延在し、半径方向内側に延在する上部フランジ１８と一体形成されたスカート１４を含む。図１から図１０の実施形態では、フランジ１８は、半径方向内側で下方向に垂れ下がるリップ１８ａを含んでよい。
【００１７】
図１１から図１４の実施形態にも適用可能であるが、図１および図４に示すように、スカート１４の内周面には、１つまたは複数の予備成形したねじ２２が設けられる。ねじ２２は、図８および図１０およびその他で全体として図示されているように、容器口部２７の対応するねじ２３と協働して嵌め合い係合するように意図されている。好ましい実施形態では、ねじ２２は、殻部１２の内面の３６０°を超えて延在する一条リードねじである。あるいは、ねじ２２は多条リードねじでもよい。
【００１８】
図１から図１０および図１３から図１４の実施形態では、スカート１４の内周表面は好ましくは吊り上げビード２４を含み、これはねじ２２の上、特にねじ２２の上終端部の上に配置される。別個の端パネル２０を設ける場合、吊り上げビード２４は開放シーケンス中に端パネル２０を吊り上げ、容器との密封接触からそれを解放する。好ましい実施形態では、吊り上げビード２４は実質的に水平である（つまり傾斜していない）。１つの実施形態では、ビード２４は殻部１２の全周にわたって（つまり３６０°）延在してよい。ビード２４が、殻部１２の周囲に３６０°未満延在できることが、さらに好ましい。１つの実施形態では、吊り上げビード２４はリング１２の周囲に約２４０°以内延在し、連続的である（つまり中断していない）。しかし、図２に示すように、吊り上げビードは、不連続で、一連の環状ビード区画２４ａ、２４ｂなどで構成してもよい。
【００１９】
あるいは、吊り上げビード２４がない殻部１２を設けてもよい。ビード２４がない場合、容器からの端パネル２０の解放は、ねじ２２の１つの吊り上げ作用によって補助することができる。これは、円板２０と吊り上げ手段（つまりねじ２２）との間の距離を大きくし、それによってパッケージの１次シールが破壊される前に殻部１２が移動する距離を最大にする。これは、より連続した開放が望ましい場合に有利でありうる。
【００２０】
図１から図１４に示す閉鎖体は、スカート１４の終端部に取り付けられた勝手な開封を明白に示す帯部２６を含むことが好ましい。好ましい実施形態では、帯部２６は、スカート１４の延長部でよい、および／または複数のブリッジ９４によってスカート１４に取り付けることができる。スカート１４と帯部２６の間の連続的または半連続的なスリットまたは弱化線を設けて、開封中に帯部２６からキャップを分離することができる。あるいは、キャップは、図３２に示し、以下でさらに詳細に説明するように、成形によって形成するか、断続ブレード法（図示せず）によって形成したブリッジ９４を含んでよい。いかなる場合でも、破断可能なブリッジを提供する幾つかの方法が当業者に知られていることが認識される。
【００２１】
帯部２６はさらに、例えば容器口部２７と係合するために上方向および環状内側に延在する保持部材２９を含んでよい（図８および図１０参照）。このタイプの勝手な開封を明白に示す帯部の例が、参照により本明細書に組み込まれる米国特許第５，６８５，４４３号で開示されている。保持部材２９は、容器の口部２７の対応するラチェットと係合する一連の環状ラチェットまたはラチェットグループを含んでよい。概して、このようなラチェット係合はよく知られ、当業者には理解されている。勝手な開封を示す帯部、および勝手な開封を示す帯部２６と容器との間のラチェット係合について、以下でさらに検討する。
【００２２】
閉鎖体に別個の端パネル２０（つまり複合閉鎖体）を設けた場合、端パネル２０の外径は吊り上げビード２４の直径よりわずかに大きく、これによって端パネル２０は、閉鎖体１０が組み立てた状態であるが、組み立てた閉鎖体を容器口部に適用する前に、吊り上げビード２４上に平坦に載っていることができる。したがって、端パネル２０は、吊り上げビード２４と、フランジ１８（図２）の下面（例えば２１（Ｂ））との間で自由に浮いている。
【００２３】
１つの実施形態では、端パネル２０はプラスチックまたは金属などの任意の適切な材料で作成することができるが、好ましくは少なくとも実質的にプラスチックで、さらに好ましくは全体としてプラスチックで作成する。端パネル２０は、任意のプラスチック組成または食物または飲料製品とともに使用するのに適切な材料で作成することができ、１層または２層以上の（積層または他の方法で接合した）プラスチックまたは他の材料として提供することができる。１つの実施形態では、端パネル２０は、ポリプロピレンなどのプラスチック材料またはポリプロピレンを含む配合物で作成することができる。単一材料の成形部片（以下で説明する酸素遮断膜上に整形するか、他の方法でそれと組み合わせることができる）が好ましい。端パネル２０は射出成形することが好ましい。以下でさらに詳細に説明する代替実施形態では、端パネル２０を熱成形することができる。
【００２４】
図５に示すように、１つの実施形態では、端パネル２０は、実質的にその形状を維持し、レトルト加工中に容器口部を支持するように、端パネル２０に十分な剛性を提供するよう選択された厚さを有する予備成形円板として提供することができる。１つの実施形態では、特定の厚さに制限されず、０．５０８〜２．５４ｍｍ（約０．０２０〜０．１００インチ）の端パネル厚さが適切であり、０．７６２〜１．７７８ｍｍ（０．０３〜０．０７インチ）の端パネル厚さが概ね好ましい。
【００２５】
図５でさらに示すように、端パネル２０は、全体として平坦な中心部分４０および半径方向外側の周部分４２を有してよい。端パネルはさらに、端パネル２０の中心部分４０と半径方向外側の周部分４２との間に、全体として上方向に延在する壁区画４４を含んでよい。壁区画４４の半径方向外側の表面は、以下でさらに詳細に説明するライナ受け表面４１を提供する。上述した端パネル２０の全体的形状は、端パネル２０が別個に提供されるか、図１１および図１２の実施形態で示すように殻部１２と一体であるかに関係なく、実質的に同じになる。
【００２６】
図５および図１９（その開示は図１１および図１２の実施形態にも当てはまる）で最もよく見られるように、上方向に延在する壁区画または肩４４および特にライナ受け表面４１が、端パネル２０の中心部分４０と外周部分４２との間で上方向および半径方向外側に（好ましくは垂直線４３に対して約１０°〜２０°の角度Ａ１で）延在する。あるいは、ライナ受け表面４１は実質的に垂直でよい。図１３および図１４に示す別の実施形態では、壁区画４４を、端パネル２０から中心部分４２と周部分４２の間に延在して下方向に延在する栓４６の形態で提供することができる。栓４６は、その半径方向外側の表面にライナ受け表面４７を提供する。図５の実施形態のように、栓４６の外面は傾斜している（Ａ１）（垂直線４３に対して約１０°〜２０°）が、実質的に垂直でもよい。図１３および図１４に示す端パネル２０は、端パネル２０に追加の剛性を提供する支持リブ４９も含んでよい。
【００２７】
１つの実施形態では、端パネル２０は、別個に設けられていても、殻部１２と一体であっても、酸素遮断性および／または脱酸素性を有する材料の膜６０をさらに含むか、組み込むことができる。酸素遮断膜６０は、円板の形態で提供することが好ましく、端パネル２０の表面に、好ましくは実質的に端パネル２０の中心部分４０内に組み込むことができる。膜６０は、単層の１つまたは複数のプラスチック材料で作成することができ、材料の少なくとも１つは酸素遮断材および／または脱酸素剤である。膜６０が多層膜で、層の少なくとも１つが酸素遮断材料を含むか、それで作成する、および／または脱酸素剤を含むことが、さらに好ましい。
【００２８】
図に示すように、膜６０は、端パネル２０の（例えば図１３および図１４に示すように）上面または（図１、図５から図１０および図１９に示すように）下面に、好ましくは端パネル２０の中心部分４０に組み込むことができる。（図１３から図１４は、「栓」タイプの端パネルの上面に組み込まれた膜６０を図示しているが、膜６０は、図１、図５〜図１２、図１９に示すタイプの端パネルの上面に組み込んでもよいことが理解される）。膜６０を端パネル２０に組み込む１つの好ましい形態は、端パネル２０または殻部１２のプラスチック材料で膜６０を上に整形することである。
【００２９】
以上で示したように、好ましい実施形態では、膜６０は多層でよい。多層膜は、例えば図６などで示すように、様々な方法で作成することができる。１つの実施形態では、膜６０は、同時押出成形した多層シートから作成することができる。さらに別の実施形態では、膜６０は、射出成形などの成形で作成することができる。
【００３０】
例えば図６に示すように、多層膜は、少なくともプラスチック材料の最上層６２、中層６４および底層６６を含むことができ、少なくとも１つの層が、酸素遮断性を有する材料を含む。１つの実施形態では、最上層６２は、例えばポリプロピレンおよび／またはポリプロピレン／ポリエチレン共重合体などのプラスチック材料で作成することができる。中層６４は、酸素遮断性が良好な化合物でよい。例えば、中層６４は、ＥＶＯＨなどのエチレンビニル化合物でよいが、それに制限されない。底層６６は、ポリプロピレンまたはポリプロピレン／ポリエチレン共重合体でよい。また、膜６０が多層膜６０である場合、これは最上層と中層の間、および底層と中層の間に接着剤を含んでよい。接着剤層を含めると、膜６０は通常、少なくとも５つの層を有し、５つ以上の層を有してもよい。
【００３１】
あるいは、酸素遮断性を有する材料が最上層６２を備えてよい。したがって、この代替実施形態では、最上層６２は酸素遮断材でよく、中層６４は結合層でよく、底層６６はポリプロピレン、その共重合体または微弱な酸素遮断性がある他のポリマ材料でよい。さらなる代替実施形態では、底層６６は、酸素遮断性を有する材料で作成することができる。
【００３２】
さらなる代替実施形態では、膜６０は、基膜上に可撓性の有機物質遮断コーティングを含んでよい。可撓性遮断コーティングの一例は、基膜上にコーティングされたポリアクリル酸（ＰＡＡ）である。基膜は、ＰＡＡがコーティングされた任意のプラスチック材料でよい。基膜の一例は、ポリエチレンテレフタレート（ＰＥＴ）である。上述したタイプのこのような市販の有機物質遮断コーティング膜の例は、Ｋｕｒｅｈａ  Ｃｈｅｍｉｃａｌｓから入手可能なＢｅｓｅｌａ（登録商標）膜を含む。したがって１つの実施形態では、膜６０は、基層（例えばＰＥＴ）の最上層、有機物質遮断コーティング（例えばＰＡＡ）の中層およびポリプロピレンおよび／またはポリプロピレン／ポリエチレン共重合体の底層を含んでよい。上述したタイプの膜は、全体として図１３および図１４に示すような端パネル２０の上面に組み込むことが好ましいが、端パネル２０の底面に組み込むこともでき、基層が膜６０の底層であり、有機物質遮断コーティングが中層であり、端パネル２０と接触している層がポリプロピレンおよび／またはポリプロピレン／ポリエチレン共重合体であることが好ましい。
【００３３】
膜６０の厚さは、部分的に閉鎖体１０のサイズに依存するが、本明細書で説明する実施形態の大部分では、０．７６２〜０．２５４ｍｍ（約０．００３〜０．０１インチ）の膜厚さが好ましい。実施形態では、最上層および底層はポリプロピレンまたはその共重合体であり、例えばＥＶＯＨの中間層がある場合、中間層の厚さは０．０２５４〜０．０５０８ｍｍ（約１〜２ミル）であることが好ましい。
【００３４】
以上で示したように、端パネル２０は熱成形することができる。１つの実施形態では、端パネル２０は、膜６０に関して上述した材料の複数の層で作成することができるが、端パネル２０の全厚さに匹敵する全厚さを有する。したがって例えば端パネル２０は、ポリプロピレン／ポリエチレン共重合体の最外層およびＥＶＯＨを含むが、それに制限されない酸素遮断材料の中層を含む様々な層および交互する層の材料の５層から７層のいずれかを有することができる。熱成形した端パネル２０はさらに、接着剤および／または粉砕再生材料の層を含むことができる。上述したように、熱成形した端パネルは、０．５０８〜２．５４ｍｍ（約０．０２〜０．１０インチ）の全厚さを有することができるが、０．７６２〜１．７７８ｍｍ（０．０３〜０．０７インチ）の厚さが特に好ましい。
【００３５】
以上に加えて、または以上のさらなる代替例として、膜６０は脱酸素剤を含むことができる。脱酸素剤は、単層の端パネルまたは円板と組み合わせるか、混合するか、他の方法で組み込むことが好ましい。あるいは、膜６０（または端パネル２０全体）が多層で作成されている場合、膜６０の底層６６または多層端パネル２０の底層は、容器を密封した後に頭隙酸素レベルを低下させるように、脱酸素剤を含むことができる。適切な脱酸素剤の例は、細かいアスコルビン酸ナトリウムの粒子または粉末を含む。脱酸素剤の他の例は、酸化第一鉄などの鉄系化合物を含む。１つまたは複数の層の酸素遮断材とともに脱酸素剤を使用すると、能動的および受動的遮断システムが提供される。
【００３６】
閉鎖キャップ１０は、容器口部２７の端面および好ましくは半径方向内側の上面と密封係合可能であるシール材の環状ガスケットまたはライナ（裏当て部）３８を含むことが好ましい。ライナ３８は、（例えば図１１に示すように）パネル２０の下面全体を実質的に覆う十分なパッドライナでよい。しかし好ましい実施形態では、シール材が、図５および図６で最もよく見られるように端パネル２０の底面および外周にリングまたはガスケット３８として設けられる。ガスケットおよびその製造および適用方法の例が、２０００年８月９日出願の米国特許出願第０９／６３４，１８２号および２００３年１月９日出願の米国特許出願公開第２００３／００９８２８７Ａ１号で提供され、これは両方とも参照により本明細書に組み込まれる。ライナ３８は、成形（例えば射出成形）によって端パネル２０に適用することが好ましい。ライナ３８は、端パネル２０と、容器口部２７の端部と、半径方向内側の表面と、の間に効果的なシールを提供する。ライナ３８は、別個に設けられた端パネルへ、または殻部１２と一体である端パネルに射出成形または他の方法によって適用できることが理解される。
【００３７】
ガスケットまたはライナ３８に使用されるのに適切な組成は、容器口部２７に気密シールを提供できる任意の組成である。１つの実施形態では、シール材は、ポリプロピレンまたはその共重合体で作成することができる。使用可能な他の既知のシール材組成は、ＳＥＢＳブロック共重合体を含む。様々な程度の酸素遮断性を有する熱可塑性エラストマまたは他の組成も使用することができる。このような熱可塑性エラストマが、米国特許第６，６７７，３９７号および２００３年３月２７日出願の米国特許出願第１０／４００，３０４号で開示され、これは両方とも参照により本明細書に組み込まれる。ガスケット３８には任意の適切なＴＰＥまたはＴＰＥ系組成を使用することができるが、第１０／４００，３０４号で開示された好ましいプラスチック組成が、本明細書で説明した閉鎖体で特に有用である。
【００３８】
図６および図１９で最もよく見られるように、容器口部と接触するライナ３８の表面、つまりライナ３８の「口部（フィニッシュ）接触表面」３９は、全体として円弧形または全体としてトロイド様の表面輪郭、または直線の輪郭ではなく合成角によって画定された輪郭を有することが好ましい。円弧形またはトロイド様とは、ライナ３８およびライナ密封表面３９の輪郭が、垂直軸に対して測定可能な任意の単一の角度によって特徴付けられない、という意味である。図１９に示すように、ライナ３８の口部接触表面３９の表面輪郭は、所定の中心部分５１から引いた半径Ｒ１によって画定することができる。
【００３９】
図６でさらに示すように、ライナ３８の厚さは通常、壁区画４４の下部分に適用される位置、および（任意選択で）端パネル２０の外周部分４２またはその近辺で最大になってよい（しかし、そうする必要はない）。壁４４の下部分と端パネル２０の外周部分４２の間で、ライナは比較的薄い厚さを有してよく、ライナ３８の表面輪郭は、全体として円弧形またはトロイド様、または上述したように合成角によって画定される。
【００４０】
ライナ３８の上述した輪郭によって、容器口部２７とライナ３８が、適用シーケンス中に壁４４の底部付近で最初に接触することができる。閉鎖体１０を容器口部ｂ２７へとさらに適用すると、密封が上方向に、つまり壁４４の底部から端パネル２０の半径方向外側の周部分４２に向かう方向に進行する。
【００４１】
図１３および図１４に示す実施形態では、ライナ３８は同様に、全体として円弧形またはトロイド様の表面輪郭を有する。この実施形態では、ライナは、栓４６と端パネル２０の半径方向外側の周部分４２との接合部付近で厚さが増加した部分を含むことができる。以上で検討した図５および図６の実施形態のように、容器口部とライナ３８とは、栓４６の底部分で、またはその付近で最初に接触する。密封は、栓４６の底部から上方向に栓壁に沿って、端パネル２０の半径方向外側の周部分４２に向かって進行する。
【００４２】
上述したライナの輪郭を、これも図７から図８および図２０に示すように全体としてトロイド様の口部輪郭を有する、またはより典型的な直線の輪郭、つまり図９から図１０に示すように容器口部の垂直軸から固定角度で先細になる容器口部がある容器を密封するために使用される閉鎖体に使用できることが認識される。したがって、容器口部２７も図７および図８に示すような円弧形またはトロイド様の輪郭を有しても、図９および図１０に示すように、口部の垂直軸に対して特定の測定可能な角度によって画定された輪郭を有しても、上述した密封シーケンスが生じる。
【００４３】
簡単に図２に戻ると、閉鎖キャップ１０は、フランジ１８の底面２１に沿って複数の環状に隔置された穴５０を含んでよい。穴５０は、パッケージの冷却または濯ぎに使用される排液（水）の流路を提供する。穴５０は、相互から一定の間隔で、参照番号５２によって識別されたフランジ１８の部分によって分離することができる。容器を閉鎖キャップ１０で密封すると、部分５２が、例えば図５、図８および図１０に示すように、端パネル２０の半径方向外側の周部分と接触する。
【００４４】
図１から図１０に示す閉鎖体の殻部１２は、スカート１４と一体形成された頂部フランジ１８を含む。フランジ１８は、上面１９および底面２１を含む。特に、図２および図４に示すように、フランジの上面１９および底面２１は両方とも、全体としてＣ字形輪郭（例えば９０°回転するか下向き）を有し、上面１９と底面２１は相互に平行である。以上で示したように、フランジ１８は、半径方向内側で下方向に延在するリップ１８ａを含んでよい。したがって、フランジ１８の底面２１は、リップ内面部分２１ａ、外部分２１ｃ、および中間部分２１ｂによって画定され、フランジ１８に全体として下向きのＣ字形輪郭７４を提供し、これによってフランジ１８は、端パネル２０の半径方向外側の外周部分４６（および壁区画４４）を受けるような構成である。同様に、フランジの上面１９は、半径方向内側の下方向に延在する部分１９ａ、半径方向外側の下方向に延在する部分１９ｃ、および中間部分１９ｂによって画定し、同様にフランジの外面１９に、図２および図９で様々に図示されているような全体としてＣ字形の輪郭を提供することができる。
【００４５】
１つの実施形態では、フランジの上面１９は、（例えば図１１および図１２に示すように）比較的かつ連続的に滑らかな表面を有することができる。フランジの上面１９は、連続的に滑らかな表面以外の表面を有してよく、例えば中間表面部分１９ｂにて上面１９に環状切欠部７０を含むことができる。切欠部７０は、閉鎖体に加えられる力の量を示し、これはパッケージが完全に密封されているか、部分的にしか密封されていないかの表示として働くことができる。
【００４６】
特に、図１５から図１８に見られるように、閉鎖体を適用するシーケンスの最初に、端パネル２０は、図１５に示すように殻部１２内に緩やかに保持されている。殻部１２のフランジ１８は、切欠部７０が外部感知装置（図示せず）に見えないように、わずかに傾斜している。言い換えると、切欠部７０の頂部は、感知装置の視線より完全に下にある。加えられる力の量が増加し、閉鎖体１０がさらに容器に適用されると、フランジ１９ｂの底面と、端パネル２０の半径方向外側の周部分４６の上面との接触が増加する。フランジ１８は、より水平の（傾斜が小さい）方向になり、したがって切欠部７０が図１６に示すように外部感知装置の視線に入る。上述した方法での適切な密封を検出するのに適切な感知装置の一例は、イリノイ州ＷａｕｋｅｇａｎのＳｉｌｇａｎ  Ｅｑｕｉｐｍｅｎｔ  Ｃｏ．から入手可能なＳｉｌｇａｎ  Ｅｑｕｉｐｍｅｎｔ  Ｍｏｄｅｌ  ５１Ｒ４９  Ｖｉｓｉｏｎ  Ｓｙｓｔｅｍである。
【００４７】
容器への閉鎖体の適用および密封が継続すると、図１８に示すように十分に見えるまで、切欠部が外部感知装置にさらに見えるようになる。切欠部７０が見える程度は、十分な密封を保証するために加えられる力を表す。例えば、全体が見える切欠部７０は、パッケージを完全に密封するために十分な密封力を示す。切欠部７０が全体には見えない場合は、密封力がこれより小さく、したがってパッケージが完全には密封されていないことを示すことができる。
【００４８】
図１１および図１２に示す一体閉鎖体１０の代替実施形態では、殻部１２は複数の外部穴７６も含むことができる。通常、穴７６は、殻部１２の全周に沿って相互から環状に隔置される。例えば図１１および図１２に示すように、穴７６は、フランジ上面１９の中心湾曲部分１９ｂと下方向に延在する半径方向外側の部分１９ｃとの間で、フランジ１８内の外側に対して開いている。穴７６は、スカート１４と容器の口部２７との間に流路を提供する。
【００４９】
容器口部に半径方向内側と半径方向外側の密封を両方必要とすることが多い他のレトルト可能な複合閉鎖体とは異なり、図１から図２０に示すような本発明の複合閉鎖体１０は、主として内部および頂部シールを提供する。パッケージがレトルトの高温に曝露した後でも、容器に効果的なシールが維持される。
【００５０】
次に図２１から図２２を参照すると、上述した様々な実施形態の閉鎖体１０で使用するのに適切な勝手な開封を明白に示す帯部２６がある閉鎖体１０が図示されている。前述したように、環状に延在した勝手な開封を明白に示す帯部２６が、一連のブリッジ９４によってスカート１４に取り付けられる。上述したように、帯部２６は、勝手な開封を明白に示す帯部２６の終端部に部材２９を含む。
【００５１】
１つの実施形態では、図２１から図２２に示すような保持部材２９は、勝手な開封を明白に示す帯部２６の終端部から吊り下がる１つまたは複数の環状フラップ８２を含む。フラップ８２は、図２２から図２３に示すように折り曲げ可能であり、閉鎖体１０を容器口部２７に適用する前に、フラップ８２は上方向および内側に折り曲げられている。上述したように、フラップ８２は、単一の連続的なフラップとして、または複数の個別的なフラップとして設けることができる。保持部材２９が複数のフラップで作成されている場合、フラップ８２は、（プラスチック）材料の薄いウェブ８３によって相互接続することができる。
【００５２】
図２２に示すように、各フラップ８２は１つまたは複数のラチェット８４を含む。したがって、閉鎖体１０を適用する前に、全フラップ８２は内側および上方向に折り曲げられ、環状で少なくとも実質的に連続的で、さらに好ましくは連続的なラチェットのリングを提供する。以下で詳細に説明するように、ラチェット８４は、容器口部のラチェットと協働する。図で示すように、好ましい実施形態では、各フラップ８２は、フラップ毎に好ましくは２つのラチェットを含む。
【００５３】
図２４は、上述した閉鎖体１０で使用するのに好ましい容器口部を示す。図２４から図２６に示すように、口部２７は、容器口部のリング８８の上に環状ラチェット８６を含む。ラチェット８６は通常、容器口部２７の直径の周囲で連続的ではなく、代わりに別個のラチェットグループ９０で提供される。
【００５４】
ラチェットグループ９０は、口部２７の周囲で相互から環状に隔置される。ラチェットグループの数およびラチェットグループ毎のラチェット数は、望ましい、または必要な任意の数でよい。図２４から図２６に示す実施形態では、４つのラチェットグループが図示され、各ラチェット区画が４つのラチェットを含む。言うまでもなく、グループ毎に、成形プロセスに負の影響を与えずに、十分な係合および適切な性能を提供する任意の数のラチェットを使用することができる。図２６に示すように、ラチェットグループ９０は、容器口部２７の周囲に対称に配置され、容器首の周囲の約１２０°に広がり、各区画は長さが約３０°である。ラチェットグループのラチェットは、同一であるか、図示の通りでよく、当業者に認識されるように、ラチェットの成形に関連した理由で、わずかに異なる幾何形状を有する可能性が高い。
【００５５】
ラチェットグループ９０は、閉鎖体１０のラチェットと協働する。好ましい実施形態では、ラチェットグループ９０間の区域が、複数の支持ビード９２によって占有され、各ビードは、グループ９０のラチェットの谷径に対して増加した直径を有する同軸弓形外面を有する。支持ビードの外径は、閉鎖体１０を口部に十分に適用した場合に、支持ビード９２に対向する閉鎖体ラチェット８６の少なくとも一部、好ましくは全部の先端が、支持ビード９２の外面と接触することが好ましい。１つの実施形態では、ラチェットグループ間の支持ビード９２の外径（ｒｘ）は、ラチェット谷径（ｒｙ）より大きいが、ラチェット先端径（ｒｚ）より小さい。本明細書では、「ラチェット谷」とは、図２７の参照番号９８によって識別された隣接ラチェット間の半径方向内側のポイントを指す。
【００５６】
支持ビード９２は、ラチェットグループ９０間の距離全体に広がり、ラチェットグループ９０間に均一な（増加する）直径を有することが好ましい。図２８から図３０に示す代替実施形態では、支持ビード９２（ａ）および９２（ｂ）の直径は、実質的に一様であるが、ラチェットグループ９０に隣接する支持ビード９２（ａ）および９２（ｂ）の端部は例外で、ビード９２（ａ）および９２（ｂ）はラチェットグループ９０に近づくにつれて内側にテーパ状になる。図２６の１つの実施形態では、支持ビード９２は、容器首の周囲に約２４０°広がり、ラチェットグループ９０間の各ビード９２は、約６０°の距離を有する。図３０に示すように、支持ビード９２（ａ）および９２（ｂ）の広がりは２４０°未満である。また、支持ビード９２（ａ）および９２（ｂ）は、異なる長さを有してよい。
【００５７】
支持ビードは、帯部２６の変形および内側への撓みを防止する。勝手な開封を示す帯部の変形および／または内側への撓みが望ましくないのは、適切にブリッジを破断せずに、閉鎖体を外せるようになり、それによって勝手な開封を明白に示す帯部の目的を阻止するからである。支持ビードは、閉鎖キャップを外す間に、このような内側への撓みを防止し、勝手な開封に抗する保証も提供するように機能する。支持ビードを設けると、閉鎖体１０のラチェットと容器口部２７のラチェットとの係合も大きくなる。図３１に示し、上述したように、閉鎖体１０を容器口部に十分に適用すると、対向する閉鎖体ラチェット８６の先端が支持ビードと接触し、それによって変形（つまり帯部が卵形になること）およびビード９２、９２（ａ）および／または９２（ｂ）に向かう内側への撓みを防止する。
【００５８】
上述したように、帯部２６は、複数の環状ブリッジ９４（ａ）および９４（ｂ）によってスカート１２に取り付けられる。図３２に示すように、ブリッジ９４は、閉鎖体１０の周囲で対称に隔置することができる。さらに図３２に示すように、帯部２６は、ブリッジ９４（ａ）および９４（ｂ）が帯部をスカート１２に接続する窓９６を含む。１つの実施形態では、ブリッジは全て同一のサイズ、形状および全体的幾何形状でよい。しかし好ましい実施形態では、個別的なブリッジ９４は２つ以上の異なる構造的設計を有してよい。例えば、図３２に示すように、閉鎖体１０には、少なくとも２つの別の構成（９４ａおよび９４ｂ）である複数のブリッジが設けられ、各構成は異なる幾何形状、長さ、厚さおよび／または方向を有する。不均一なブリッジを使用すると、開封シーケンス中にブリッジが順番に破損するのが促進されると考えられる。
【００５９】
図３２に示す実施形態では、ブリッジ９４（ａ）および９４（ｂ）は、勝手な開封を示す帯部の周囲に対称に配置される。しかし、所望に応じてブリッジの非対称の間隔を使用して、勝手な開封を示す帯部の周に沿った様々な位置でブリッジを破断するために必要な力をさらに変更することができる。図３２でさらに見られるように、ブリッジの各グループは、少なくとも２つの隣接する同じタイプのブリッジを含む。その形状、垂直方向の長さ、厚さまたはそれらの組合せが異なるので、開封シーケンス中にブリッジ９４（ａ）が最初に破断する。次に、ブリッジ９４（ｂ）が破断する。この特定の実施形態では、ブリッジ９４（ｂ）の方が垂直方向の長さが長いことと、細長い形状および方向によって、ブリッジ９４（ｂ）は、他方のブリッジ９４（ａ）が破断している間に、破断せずに閉鎖体の開放角度まで屈曲することができる。ブリッジ９４（ａ）の破断に続いてブリッジ９４（ｂ）が破断し、したがって必要な開封トルクが減少する。
【００６０】
本発明を、様々な実施形態に関して説明してきたが、本発明の精神および範囲から逸脱することなく、その変更および変形が可能であることが当業者には明白である。したがって、本発明は請求の範囲によってのみ解釈され、制限されるものとする。
【図面の簡単な説明】
【００６１】
【図１】シール材のリング（ガスケット）で裏打ちした端パネルを示すために切り離した区間がある本発明の複合閉鎖体の一実施形態の斜視図である。
【図２】図１の閉鎖体殻部の側断面図である。
【図３】閉鎖キャップ殻部の底面図である。
【図４】閉鎖キャップ殻部の部分側断面図である。
【図５】ライナ（ガスケット）が端パネル下面の半径方向外側の周部分に適用された、端パネルの側断面図である。
【図６】端パネルおよびそれに適用されたライナの拡大部分断面図である。
【図７】閉鎖体を口部に適用する間に、容器口部に最初に接触した状態の閉鎖キャップの側断面図である。
【図８】十分に密封された状態のパッケージの部分側断面図である。
【図９】閉鎖体を口部に適用する間に、容器口部（代替口部輪郭を有する）に最初に接触した状態の閉鎖キャップの部分側断面図である。
【図１０】十分に密封された状態の図９のパッケージの部分側断面図である。
【図１１】ライナとともに端パネルを示すために切り離した区間がある、本発明を実現するレトルト可能な一体閉鎖体の斜視図である。
【図１２】図１１の閉鎖体殻部の斜視図である。
【図１３】口部が閉鎖体ライナと最初に接触する間の、自身から延在する栓を含む端パネルがある別の代替複合閉鎖体の部分側断面図である。
【図１４】パッケージが十分に密封された場合の図１３の複合閉鎖体および口部の部分側断面図である。
【図１５】口部と閉鎖体ライナが最初に接触する間の、外部感知装置の視線から外れた切欠部を示すシールがある複合閉鎖体の部分側断面図である。
【図１６】わずかに外部感知装置の視線内にある切欠部を示すシールがある複合閉鎖体の部分側断面図である。
【図１７】可視的にさらに外部感知装置の視線内にある切欠部を示すシールがある複合閉鎖体の部分側断面図である。
【図１８】十分に外部感知装置の視線内にある切欠部を示すシールがある図１５から図１７のパッケージの部分側断面図である。
【図１９】全体としてトロイド様の口部接触表面の輪郭を有するライナを適用されている端パネルの拡大部分側断面図である。
【図２０】全体としてトロイド様の輪郭を有する容器口部の拡大部分側断面図である。
【図２１】勝手な開封を明白に示す帯部および下方向に折り曲げていない位置にあるラチェットフラップがある本発明を実現する閉鎖キャップの斜視図である。
【図２２】ラチェットフラップが上方向に延在する折り曲げた位置にある図２１の閉鎖キャップの斜視図である。
【図２３】ラチェットフラップが上方向に折り曲げた位置にある図２１および図２２の閉鎖キャップの部分断面図である。
【図２４】環状ラチェットグループおよびその間の支持ビードを含む容器口部の部分斜視図である。
【図２５】図２４の閉鎖容器口部の側面図である。
【図２６】図２５の容器口部の線２６−２６に沿って切り取った上面断面図である。
【図２７】図２６のラチェット区画の部分断面図である。
【図２８】環状ラチェットグループおよびその間の支持ビードがある容器口部の代替実施形態の斜視図である。
【図２９】図２８の容器口部の側面図である。
【図３０】図２９に示す容器口部の線３０−３０に沿って切り取った上面断面図である。
【図３１】閉鎖キャップが上に配置された図２４から図２６の容器口部の上面断面図である。
【図３２】帯部を閉鎖体スカートに接合するブリッジがある勝手な開封を明白に示す帯部の斜視図である。
【図１】
2009522179.tif 000003
【図２】
2009522179.tif 000004
【図３】
2009522179.tif 000005
【図４】
2009522179.tif 000006
【図５】
2009522179.tif 000007
【図６】
2009522179.tif 000008
【図７】
2009522179.tif 000009
【図８】
2009522179.tif 000010
【図９】
2009522179.tif 000011
【図１０】
2009522179.tif 000012
【図１１】
2009522179.tif 000013
【図１２】
2009522179.tif 000014
【図１３】
2009522179.tif 000015
【図１４】
2009522179.tif 000016
【図１５】
2009522179.tif 000017
【図１６】
2009522179.tif 000018
【図１７】
2009522179.tif 000019
【図１８】
2009522179.tif 000020
【図１９】
2009522179.tif 000021
【図２０】
2009522179.tif 000022
【図２１】
2009522179.tif 000023
【図２２】
2009522179.tif 000024
【図２３】
2009522179.tif 000025
【図２４】
2009522179.tif 000026
【図２５】
2009522179.tif 000027
【図２６】
2009522179.tif 000028
【図２７】
2009522179.tif 000029
【図２８】
2009522179.tif 000030
【図２９】
2009522179.tif 000031
【図３０】
2009522179.tif 000032
【図３１】
2009522179.tif 000033
【図３２】
2009522179.tif 000034
【国際調査報告】
2009522179.tif 000035
2009522179.tif 000036
2009522179.tif 000037
2009522179.tif 000038
2009522179.tif 000039